(57)【要約】【課題】  所謂、タック材とタック材との間に介在させられるフィルムは１枚で済み、従って材料（フィルム）コストが低廉になるのみならず、かつ、材料（フィルム）管理も容易になり、最終製品（タック材とフィルムとの積層体）生産コストも低廉になり、更には廃棄フィルム量の枚数も少なくなり、かつ、細かくカットされたタック材の剥離（取出）作業性も向上する技術を提供することである。【解決手段】  積層される粘着シートの間に介在させられるフィルムであって、  上側に位置する粘着シートに対向する側である前記フィルムの上面側には凹部が形成されてなり、  下側に位置する粘着シートに対向する側である前記フィルムの下面側には凸部が形成されてなる積層粘着シート間介在用フィルム。【選択図】  図４
2008024814.tif 000002
【特許請求の範囲】
【請求項１】
積層される粘着シートの間に介在させられるフィルムであって、
上側に位置する粘着シートに対向する側である前記フィルムの上面側には凹部が形成されてなり、
下側に位置する粘着シートに対向する側である前記フィルムの下面側には凸部が形成されてなる
ことを特徴とする積層粘着シート間介在用フィルム。
【請求項２】
フィルムは、その一面側を押圧することによって、該フィルムの押圧面側である一面側には凹部が形成され、該フィルムの他面側には凸部が形成されたものである
ことを特徴とする請求項１の積層粘着シート間介在用フィルム。
【請求項３】
フィルムで挟まれている一枚の粘着シートは幾つかの大きさに分割されたものであり、
該フィルムに形成されてなる一つの凹部または凸部の大きさは、該粘着シートが分割された一つの大きさより小さな大きさである
ことを特徴とする請求項１又は請求項２の積層粘着シート間介在用フィルム。
【請求項４】
粘着シートが軟性・粘着シートであり、
フィルムが前記粘着シートより硬い素材のフィルムである
ことを特徴とする請求項１〜請求項３いずれかの積層粘着シート間介在用フィルム。
【請求項５】
粘着シートは、絶縁性で、かつ、伝熱性を有する粉末が樹脂中に分散させられてなる絶縁・伝熱性を有する粘着シートである
ことを特徴とする請求項１〜請求項４いずれかの積層粘着シート間介在用フィルム。
【請求項６】
粘着シートと粘着シートとの間にフィルムが介在させられてなる粘着シート・フィルム複合体であって、
前記フィルムは請求項１〜請求項５いずれかのフィルムであり、
前記粘着シートは請求項１〜請求項５いずれかの粘着シートであり、
前記フィルムに形成されている凹部が上側に位置する粘着シートに対向するよう、かつ、前記フィルムに形成されている凸部が下側に位置する粘着シートに対向するよう配設されてなる
ことを特徴とする粘着シート・フィルム複合体。
【発明の詳細な説明】
【技術分野】
【０００１】
本発明は、積層粘着シート間介在用フィルムおよび粘着シート・フィルム複合体に関する。例えば、半導体素子（装置）の熱損傷を防止する為、半導体素子（装置）をシャーシ等に接続して放熱を行わしめる為に用いられる、所謂、タック材と称される粘着シートの為の技術に関する。
【背景技術】
【０００２】
半導体素子（装置）の熱損傷を防止する為、伝熱性に富む絶縁性粒子を分散させた伝熱・粘着（接着をも含む）性シートを半導体素子（装置）とシャーシとの間に配設することが知られている。
【０００３】
このような伝熱・粘着性シートは、例えば酸化アルミナが均一に分散させられた厚さが１〜２ｍｍ程度のシリコンエラストマーからなるシートである。そして、放熱の為に用いられるシートは、前もって、数ｍｍから数ｃｍの大きさのものにカットされている。すなわち、例えば大きさが十数ｃｍないしは数十ｃｍである伝熱・粘着性シートをフィルム上に配置した後、これを適宜な大きさにカット（所謂、ハーフカット）し、そして使用に際してはカットされた所望の大きさのものを所定の箇所に貼り付けている。
【０００４】
さて、上記のような伝熱・粘着性シートは、ベタツキが有る材であることから、当分野では、所謂、タック材と称されている。このタック材には、表裏両面が粘着（接着）性を有する両面タック材と、一面側しか粘着（接着）性を有さない片面タック材とが有る。
【０００５】
ところで、片面タック材でも、両面タック材でも、通常、何枚かが積層された形態で提供される。
【０００６】
例えば、図５に示される如く、フィルム１３の上にタック材１５を配置し、そしてフィルム１３の上におかれたタック材１５を所定の大きさにカットした後、前記フィルム１３より厚さが薄いフィルム１４を載せ、このフィルム１４上に厚いフィルム１３を配置し、そしてフィルム１３上に第２層目のタック材１５を配置し、続いて第２層目のタック材１５を所定の大きさにカットした後、続いてフィルム１４を載せ、更にフィルム１３を配置し、以下同様に第ｎ層目のタック材１５を配置した後、薄いフィルム１４を載せた形態の積層タック材が知られている。
ここで、タック材１５とタック材１５との間に、下側には薄いフィルム１４が、上側には厚いフィルム１３が介在させられていると言った如く、２枚のフィルムが用いられている。
【特許文献１】特開２０００−１７４０７０
【発明の開示】
【発明が解決しようとする課題】
【０００７】
さて、図５に示される如く、タック材１５とタック材１５との間に、下側には薄いフィルム１４が、上側には厚いフィルム１３が介在させられていると言った如く、２枚のフィルムが用いられているのは、次のような理由による。
【０００８】
もし、仮に、タック材１５とタック材１５との間に一枚のフィルムしか設けられていないとした場合、第ｋ層目のタック材を使い終わって、表面に在るフィルムを剥がそうとした場合、この剥離しようとしたフィルムの下面に細かくカットされたタック材が幾つかくっ付いたままで剥がされてしまうことが起きる。
【０００９】
このような時、剥がそうとしたフィルムが薄いと、例えばピラピラの薄いフィルムであると、この薄いフィルムには細かくカットされたタック材がくっ付いて剥がされてしまうことは殆ど起きなかったのである。
【００１０】
このような理由で、薄いフィルム１４と厚いフィルム１３と言った如くの２枚の異なるフィルムがタック材１５とタック材１５との間に置かれていた。
【００１１】
しかしながら、２枚のフィルムをタック材の上に順番に載せて行くのは、それだけ作業性が低下する。コストが高く付いてしまう。又、材料費も高く付く。更には、材料の管理コストも高く付く。
【００１２】
そして、使用に際しては、廃棄することになるフィルムが多くなり、それだけコストアップを引き起こす。
【００１３】
又、従来のものにあっては、細かくカットされたタック材を剥がす場合に、タック材を綺麗に剥離でき難く、例えばタック材の側面に過大な力を加えてしまい、タック材が変形してしまい、使用できないものとなってしまうと言った問題も起きていた。すなわち、細かくカットされたタック材を綺麗な形で取り出し難く、作業性も悪いと言った問題が有った。
【００１４】
従って、本発明が解決しようとする課題は、所謂、タック材とタック材との間に介在させられるフィルムは１枚で済み、従って材料（フィルム）コストが低廉になるのみならず、かつ、材料（フィルム）管理も容易になり、最終製品（タック材とフィルムとの積層体）生産コストも低廉になり、更には廃棄フィルム量の枚数も少なくなり、かつ、細かくカットされたタック材の剥離（取出）作業性も向上する技術を提供することである。
【課題を解決するための手段】
【００１５】
前記の課題は、積層される粘着シートの間に介在させられるフィルムであって、
上側に位置する粘着シートに対向する側である前記フィルムの上面側には凹部が形成されてなり、
下側に位置する粘着シートに対向する側である前記フィルムの下面側には凸部が形成されてなる
ことを特徴とする積層粘着シート間介在用フィルムによって解決される。
【００１６】
特に、積層される粘着シートの間に介在させられるフィルムであって、
上側に位置する粘着シートに対向する側である前記フィルムの上面側には凹部が形成されてなり、
下側に位置する粘着シートに対向する側である前記フィルムの下面側には凸部が形成されてなり、
そして、前記フィルムで挟まれている一枚の粘着シートは幾つかの大きさに分割されたものであり、
前記フィルムに形成されてなる一つの凹部または凸部の大きさは、該粘着シートが分割された一つの大きさより小さな大きさである
ことを特徴とする積層粘着シート間介在用フィルムによって解決される。
【００１７】
又、上記の積層粘着シート間介在用フィルムであって、
粘着シートが軟性・粘着シートであり、
フィルムが前記粘着シートより硬い素材のフィルムである
ことを特徴とする積層粘着シート間介在用フィルムによって解決される。
【００１８】
又、上記の積層粘着シート間介在用フィルムであって、
フィルムは、その一面側を押圧することによって、該フィルムの押圧面側である一面側には凹部が形成され、該フィルムの他面側には凸部が形成されたものである
ことを特徴とする積層粘着シート間介在用フィルムによって解決される。
【００１９】
又、上記の積層粘着シート間介在用フィルムであって、
粘着シートは、絶縁性で、かつ、伝熱性を有する粉末が樹脂中に分散させられてなる絶縁・伝熱性を有する粘着シートである
ことを特徴とする積層粘着シート間介在用フィルムによって解決される。
【００２０】
又、前記の課題は、粘着シートと粘着シートとの間にフィルムが介在させられてなる粘着シート・フィルム複合体であって、
前記フィルムは上記のフィルムであり、
前記粘着シートは上記の粘着シートであり、
前記フィルムに形成されている凹部が上側に位置する粘着シートに対向するよう、かつ、前記フィルムに形成されている凸部が下側に位置する粘着シートに対向するよう配設されてなる
ことを特徴とする粘着シート・フィルム複合体によって解決される。
【発明の効果】
【００２１】
本発明によれば、所謂、タック材とタック材との間に介在させられるフィルムは１枚で済み、従って材料（フィルム）コストが低廉になる。かつ、材料（フィルム）管理も容易になり、最終製品（タック材とフィルムとの積層体）生産コストも低廉になる。更には、廃棄フィルム量の枚数も少なくなり、後始末が容易である。かつ、細かくカットされたタック材の剥離（取出）作業性が向上する。すなわち、細かくカットされたタック材の剥離（取出）に際して、タック材を傷付け難い。
【００２２】
その理由は次の通りである。
タック材とタック材との間に配設されていたフィルムを、従来、二枚必要としていた理由は、フィルムの剥離に際して、剥離されるフィルムに細かくカットされたタック材がくっ付いていたからである。
【００２３】
本発明では、下側に在るタック材に対向しているフィルムにはライン状の凸部が設けられていることから、第ｋ層目のフィルムの下側に在るタック材と第ｋ層目のフィルムとの接触面積Ｓｋと、第ｋ層目のフィルムの下側に在るタック材と第ｋ層目のフィルムより一つ下に在る第ｋ−１層目のフィルムとの接触面積Ｓｋ−１とを比べると、図４からも判る通り、Ｓｋ＜Ｓｋ−１である。従って、第ｋ層目のフィルムを剥離しようとした場合、第ｋ層目のフィルムの下側に在るタック材は、第ｋ−１層目のフィルムとの接触面積が大きいことから、第ｋ−１層目のフィルムとの粘着（接着）強度が大きく、第ｋ層目のフィルムの下側に在るタック材が第ｋ層目のフィルムにくっ付いたまま剥がれてしまうと言った事故を効果的に防止できる。
【００２４】
すなわち、本発明の如くに構成させることによって、タック材（粘着シート）とタック材（粘着シート）との間に介在させるフィルムが一枚で済むことになる。
【００２５】
しかも、細かくカットされたタック材を剥がそうとした場合、タック材の下側に在るフィルムの上面（剥がそうとするタック材との対向面）には凹部が形成されているから、この凹部によって出来るタック材との隙間にタック材取出部材の先端を簡単に差し入れることが出来、従ってタック材を損傷せずに取り出せるようになる。又、その作業性も向上する。
【発明を実施するための最良の形態】
【００２６】
本発明は、積層される粘着シートの間に介在させられるフィルム（積層粘着シート間介在用フィルム）である。そして、上側に位置する粘着シートに対向する側であるフィルムの上面側には凹部が形成されると共に、下側に位置する粘着シートに対向する側であるフィルムの下面側には凸部が形成されている。フィルムは、その一面側を押圧することによって、該フィルムの押圧面側である一面側には凹部が形成され、該フィルムの他面側には凸部が形成されたものである。凹部（凸部）は、特に、ライン状の凹部（凸部）である。フィルムで挟まれている一枚の粘着シートは幾つかの大きさに分割されたものであり、該フィルムに形成されてなる一つの凹部または凸部の大きさは該粘着シートが分割された一つの大きさより小さな大きさである。例えば、平面視における一つの凹部（凸部）の大きさは、カットされた粘着シートの大きさの１／１０より小さなものである。尚、下限値は粘着シートの大きさによって変わるので、一義的には決められ難い。そして、平面視における一つの凹部（凸部）の大きさは、具体的には、例えば１〜５ｍｍ程度の大きさである。粘着シートは軟性・粘着シートであり、フィルムは前記粘着シートより硬い（剛性に富む：撓み難い）素材のフィルムである。すなわち、粘着シートが柔らかくて多少の変形をするような場合でも、フィルムが硬質（剛性に富む：撓み難い）であることから、フィルムが粘着シートの変形に追随せず、フィルムと粘着シートとの間には、フィルムに形成された凹部（凸部）に起因した空間が潰れず、この空間部ではフィルムと粘着シートとがくっ付いてないようになっている。尚、フィルムのどちらの面に凹部（又は凸部）が形成されているかを判り易くする為のマークが所定の面に付されている。又、粘着シートは、絶縁性で、かつ、伝熱性を有する粉末が樹脂中に分散させられてなる絶縁・伝熱性を有する粘着シートである。
【００２７】
もう一つの本発明は、粘着シートと粘着シートとの間にフィルムが介在させられてなる粘着シート・フィルム複合体である。そして、このフィルムは上記のフィルムであり、粘着シートは上記の粘着シートである。しかも、該フィルムに形成されている凹部が上側に位置する粘着シートに対向するよう、かつ、該フィルムに形成されている凸部が下側に位置する粘着シートに対向するよう配設されている。
【００２８】
以下、具体的な実施例を挙げて説明する。
図１〜図４は本発明の一実施形態を示すもので、図１は本発明のフィルムとフィルムとの間に粘着シート（所謂、タック材）が設けられている状態の斜視図、図２は本発明のフィルムの表面に形成されている凹部（凸部）の模様を示す説明図、図３は本発明のフィルムの一部を示す断面図、図４は粘着シートと粘着シートとの間にフィルムが介在させられてなる粘着シート・フィルム複合体の側面図である。
【００２９】
各図中、１はフィルムである。尚、このフィルムは、例えばポリエチレンやポリプロピレン等のポリオレフイン、或いはポリエチレンテレフタレー等のポリエステル、又はポリ塩化ビニル等の各種の樹脂で出来た機械的強度に富む（硬質、撓み難い、剛性に富む）フィルムである。厚さに格別な制約はないが、本実施形態では、０．３ｍｍ程度である。一般的には、０．２〜０．５ｍｍ程度である。
【００３０】
２は、両面が粘着性を有する粘着シート（所謂、タック材）である。尚、粘着シート２の厚さは、目的に適って適宜なものであるが、本実施形態では、フィルム１の厚さより厚く、例えば１〜３ｍｍ程度である。このタック材２は、フィルム１の上に載せられた後、使用目的に応じた所望の大きさにカットされる。図では、そのカットラインが線で示されている。図４で示される符号９，１０，１１は、細かく（例えば、１ｃｍ程度から数ｃｍ程度の大きさ）カットされたタック材を示している。そして、本タック材は、シリコンエラストマー（又はアクリルエラストマー、若しくはゲルシート）中にアルミナ粉末が分散させられたものであって、アルミナ粉末に起因して熱伝導性が良く、又、シリコンエラストマー（又はアクリルエラストマー、若しくはゲルシート）に起因して軟性、かつ、粘着性を有している。
【００３１】
３は、フィルム１の一面側に付されたマークである。このマーク３が付された側の面は凹部が形成されている面であることを示す為のものである。
【００３２】
さて、本発明のフィルム１にあっては、例えば押圧手段によって、フィルム１の一面側（本実施形態にあっては下面側）に飛び出した凸部５（図４では符号７）が形成されている。凸部５，７の高さは０．０５〜０．２ｍｍ程度である。本実施形態では０．１ｍｍである。そして、フィルムの他面側（本実施形態にあっては上面側）には、凸部５，７に対向して、凹部が形成されていることになる。そして、凹部以外の箇所にあっては、フィルム１の他面（本実施形態にあっては上面）は平坦面である。尚、この平坦面の箇所を図３では符号４で示している。そして、フィルム１の下面側にあっても、平坦面部４に対応する箇所は平坦である。又、本実施形態では、凸部５，７はライン状のものである。そして、その形状は、図２に示される如く、一辺の長さが１ｍｍ程度の六角形（亀甲模様）である。勿論、この形状に限られるものでは無い。
【００３３】
そして、図４に示される通り、フィルム１の凹部形成面側の上にタック材２が載せられている。タック材２の上には、このタック材２に対向する側に凸部５が位置するようにフィルム１が載せられる。以下、同様なステップが繰り返され、フィルム１とタック材２とが積層される。尚、一番上のタック材１の上には、フィルム１を載せても良いが、フィルム１の如きの凹部が形成されていない凸部のみが形成されたフィルム８を載せても良い。そして、このような形態の粘着シート・フィルム複合体がユーザーに提供される。
【００３４】
ユーザーは、使用に際しては、先ず、一番上に在るフィルム８を剥離する。この剥離に際しては、タック材２とフィルム８との粘着力はタック材２とフィルム１との粘着力より小さいから、細かくカットされたタック材９はフィルム８にくっ付くことなく、フィルム８のみが剥がれる。従って、無駄が無い。
【００３５】
フィルム８が剥がされて、タック材９を取り出すに際して、タック材９と下側のフィルム１との間には、フィルム１上面に形成されている凹部が有ることから、この凹部の隙間にピンセットの先端を簡単に差し込むことが出来、細かくカットされたタック材９を簡単に取り出すことが出来る。全てのタック材９を使い終わると、その下に在るフィルム１を剥がす。このフィルム１の剥離に際しても、フィルム１の下側のタック材がくっ付いた状態で剥がれることは無い。従って、無駄なくタック材９を利用できる。
【図面の簡単な説明】
【００３６】
【図１】本発明になるフィルムとフィルムとの間に粘着シートが設けられた状態での斜視図
【図２】本発明になるフィルム表面に形成されている凹部（凸部）の模様の平面図
【図３】本発明になるフィルムの一部断面図
【図４】本発明になる粘着シート・フィルム複合体の側面図
【図５】従来の粘着シート・フィルム複合体の側面図
【符号の説明】
【００３７】
１                  フィルム
２，９，１０，１１  粘着シート（タック材）
５，７              凸部
代  理  人  宇      高      克      己
【図１】
2008024814.tif 000003
【図２】
2008024814.tif 000004
【図３】
2008024814.tif 000005
【図４】
2008024814.tif 000006
【図５】
2008024814.tif 000007